(57)【要約】      （修正有）【課題】多くの患者に適合可能な既製の部分床義歯を作製するための基準義歯床又は基準義歯を提供するとともに、部分床義歯作製工程を簡略化する。【解決手段】予め作製された基準義歯床１０であって、該基準義歯床を所定の位置で分割するための分割機構Ｌ１〜Ｌ７を有していることを特徴とする基準義歯床を用いて義歯を作製する。これにより、２歯以上が配列されている部分床義歯を作製する際に、各歯列の相対的な位置を調整する必要性が低くなり、部分床義歯の作製時間を短縮できる。【選択図】図１
2018196535.tif 000002
【特許請求の範囲】
【請求項１】
予め作製された基準義歯床であって、該基準義歯床を所定の位置で分割するための分割機構を有していることを特徴とする基準義歯床。
【請求項２】
前記分割機構が、前記基準義歯床に形成された凹部である請求項１に記載の基準義歯床。
【請求項３】
前記凹部の形成位置が、前記基準義歯床の顎堤接触面側である請求項２に記載の基準義歯床。
【請求項４】
前記分割機構が、前記基準義歯床に形成された複数の貫通孔である請求項１に記載の基準義歯床。
【請求項５】
前記貫通孔の開口部の長手方向の長さが、０．５〜２０ｍｍである請求項４に記載の基準義歯床。
【請求項６】
前記分割機構が、複数の前記貫通孔が連なって形成されるミシン目状の破線であり、
前記破線は、顎堤接触面側において、その全長に対して合計で０．１〜４０％の長さの切断部が形成されている請求項４に記載の基準義歯床。
【請求項７】
前記分割機構が、前記基準義歯床に配列される人工歯を歯列毎に分割可能に形成された分割機構である請求項１に記載の基準義歯床。
【請求項８】
請求項１に記載の基準義歯床と、
前記基準義歯床に配列されている人工歯と、
から成る基準義歯。
【請求項９】
請求項１に記載の基準義歯床と、
裏装材と、
人工歯と、
から成る部分床義歯作製キット。
【請求項１０】
請求項８に記載の基準義歯と、
裏装材と、
から成る部分床義歯作製キット。
【請求項１１】
基準義歯床を分割する工程と、
該分割した基準義歯床に人工歯を配列する工程と、
該分割した基準義歯床に裏装材を築盛する工程と、
を有することを特徴とする部分床義歯作製方法。
【請求項１２】
基準義歯を分割する工程と、
該分割した基準義歯に裏装材を築盛する工程と、
を有することを特徴とする部分床義歯作製方法。
【発明の詳細な説明】
【技術分野】
【０００１】
本発明は、基準義歯床、基準義歯、部分床義歯作製キット及び部分床義歯作製方法に関する。詳しくは、分割ガイドを有する基準義歯床、基準義歯、及びこれを含んで構成される部分床義歯作製キット、さらには基準義歯を切断して作製する部分床義歯作製方法に関する。
【背景技術】
【０００２】
一般に、無歯顎者の口腔内の形状は、歯槽骨の大きさや骨の吸収量、粘膜の状態等が各個人で異なる。そのため、良い義歯を作製するためには、各個人の模型から従来公知の手順を踏んで義歯を作製する必要があり、作製に多くの時間を要している。
【０００３】
そこで、簡易に適合の良い義歯を作製するために、サイズが規格化された基準義歯が提案されている（特許文献１）。この規格化された基準義歯と、リベース等の裏装材と、を用いる事で、石膏模型を用いた技工操作を経ずに、口腔内で裏装操作するだけで適合の良い義歯が短時間で得られる。
【０００４】
一方、８０２０運動等の国民運動により、残存歯を有する高齢者が増えている。そのため、部分床義歯の患者が増えている。部分床義歯は、欠損歯の位置により形状が様々である。そのため、従来の部分床義歯の作製方法は、無歯顎者の総義歯を作製する場合と同様に、各個人の模型から従来公知の手順を踏んで作製する必要があり、作製に多くの時間を要している。
【０００５】
ここで、特許文献１で示される総義歯の作製方法としての基準義歯を部分床義歯に適用する場合、患者個々の欠損に応じた形態の部分床を用意しなければならず、その形態のバリエーションは膨大となる。
【先行技術文献】
【特許文献】
【０００６】
【特許文献１】特開２０１５−１６５８５０号公報
【発明の概要】
【発明が解決しようとする課題】
【０００７】
本発明の課題は、多くの患者に適合可能な既製の部分床義歯を作製するための基準義歯床及び基準義歯を提供することにある。また、この基準義歯床又は基準義歯と、裏装材と、から成る部分床義歯作製キットを用いて部分床義歯の作製工程を簡略化し、義歯の作製時間を短縮することにある。
【課題を解決するための手段】
【０００８】
本発明者らは、前記課題を解決するため、有歯顎者及び無歯顎者の口腔形状を基にその形状が規定された既製の基準義歯床又は基準義歯を分割して部分床義歯を作製する方法に想到した。このように作製される部分床基準義歯は、多くの患者に適用可能であることを見出した。また、この既製の基準義歯床又は基準義歯を一定の形状で素早く分割するために、該基準義歯床又は基準義歯に分割機構を形成することに想到した。さらには、この基準義歯床又は基準義歯を含んで構成される義歯作製キットを用いることにより、部分床義歯の作製工程を簡略化できるとともに、高い適合率の部分床義歯を作製できることを見出し、本発明を完成するに至った。
【０００９】
上記課題を解決する本発明は、以下に記載するとおりである。なお、本願明細書において、基準義歯床とは、既製の義歯床であって人工歯が配列されていない義歯床をいう。また、基準義歯とは、基準義歯床に人工歯が１歯以上予め配列されているものいう。特に、全歯列が配列された基準義歯を全部床基準義歯といい、一部の歯列が配列された基準義歯を部分床義歯という。なお、全歯列とは、左側第二大臼歯から右側第二大臼歯までの１４歯を含む歯列をいう。
【００１０】
〔１〕  予め作製された基準義歯床であって、該基準義歯床を所定の位置で分割するための分割機構を有していることを特徴とする基準義歯床。
【００１１】
この基準義歯床は、一部の歯列を分割して部分床基準義歯を作製するためのベースとなる基準義歯床である。
【００１２】
〔２〕  前記分割機構が、前記基準義歯床に形成された凹部である〔１〕に記載の基準義歯床。
【００１３】
この基準義歯床は、分割機構として凹部が形成されている。この凹部に沿って基準義歯床を分割できる。
【００１４】
〔３〕  前記凹部の形成位置が、前記基準義歯床の顎堤接触面側である〔２〕に記載の基準義歯床。
【００１５】
この基準義歯床は、凹部が顎堤接触面側、即ち基準義歯床の裏側に形成されている。
【００１６】
〔４〕  前記分割機構が、前記基準義歯床に形成された複数の貫通孔である〔１〕に記載の基準義歯床。
【００１７】
この基準義歯床は、分割機構として複数の貫通孔が形成されている。この複数の貫通孔に沿って基準義歯床を分割できる。
【００１８】
〔５〕  前記貫通孔の開口部の長手方向の長さが、０．５〜２０ｍｍである〔４〕に記載の基準義歯床。
【００１９】
この基準義歯床は、各貫通孔の開口部が所定範囲の大きさを有している。
【００２０】
〔６〕  前記分割機構が、複数の前記貫通孔が連なって形成されるミシン目状の破線であり、
前記破線は、顎堤接触面側において、その全長に対して合計で０．１〜４０％の長さの切断部が形成されている〔４〕に記載の基準義歯床。
【００２１】
この基準義歯床は、分割機構がミシン目状に形成された複数の貫通孔であり、そのミシン目が所定のピッチで形成されている。
【００２２】
〔７〕  前記分割機構が、前記基準義歯床に配列される人工歯を歯列毎に分割可能に形成された分割機構である〔１〕に記載の基準義歯床。
【００２３】
この基準義歯床は、基準義歯床を人工歯毎に分割できるように構成されている。即ち、１４歯が配列される全部床基準義歯を構成する基準義歯床の場合、１４個に分割される。
【００２４】
〔８〕に記載の基準義歯床と、
前記基準義歯床に配列されている人工歯と、
から成る基準義歯。
【００２５】
この基準義歯は、一部の歯列を分割して部分床基準義歯を作製するためのベースとなる基準義歯である。この基準義歯は、全部床基準義歯であっても良いし、部分床基準義歯であってもよい。
【００２６】
〔９〕  〔１〕に記載の基準義歯床と、
裏装材と、
人工歯と、
から成る部分床義歯作製キット。
【００２７】
この部分床義歯作製キットは、上記〔１〕に記載の基準義歯床から欠損歯に対応する歯列部分の義歯床を分割し、これに人工歯を配列して裏装材を築盛することにより部分床義歯を作製するキットである。
【００２８】
〔１０〕  〔１〕に記載の基準義歯床と、
裏装材と、
人工歯と、
から成る部分床義歯作製キット。
【００２９】
この部分床義歯作製キットは、上記〔１〕に記載の基準義歯床から欠損歯に対応する歯列部分の義歯床を分割し、これに人工歯を配列して裏装材を築盛することにより部分床義歯を作製するキットである。
【００３０】
〔１１〕  基準義歯床を分割する工程と、
該分割した基準義歯床に人工歯を配列する工程と、
該分割した基準義歯床に裏装材を築盛する工程と、
を有することを特徴とする部分床義歯作製方法。
【００３１】
この部分床義歯作製方法は、基準義歯床から欠損歯に対応する歯列部分の基準義歯床を分割し、これに人工歯を配列して裏装材を築盛することにより、部分床義歯を作製する方法である。
【００３２】
〔１２〕  基準義歯を分割する工程と、
該分割した基準義歯に裏装材を築盛する工程と、
を有することを特徴とする部分床義歯作製方法。
【００３３】
この部分床義歯作製方法は、基準義歯から欠損歯に対応する歯列部分を分割し、これに裏装材を築盛することにより、部分床義歯を作製する方法である。
【発明の効果】
【００３４】
本発明の基準義歯床及び基準義歯は、基準義歯床を分割するための分割機構が形成されているため、部分床義歯の基礎形状を短時間で作製できる。そのため、部分床義歯の作製時間を短縮できる。
本発明の部分床義歯作製キットは、上記基準義歯床又は基準義歯を含んで構成されるため、部分床義歯の基礎形状を短時間で容易に得ることができる。この部分床義歯の基礎形状に対して必要に応じて人工歯を配列し、裏装材を築盛するだけで、患者の欠損歯に対応する部分床義歯を容易に作製することができる。
本発明の部分床義歯作製方法は、各歯列の位置が予め規定された既製の基準義歯床を用いる。そのため、２歯以上が配列されている部分床義歯を作製する際に、各歯列の相対的な位置を調整する必要性が低くなる。その結果、部分床義歯の作製時間を短縮できる。
これにより、歯科医師、歯科技工士及び患者の負担を大幅に低減することができる。
【図面の簡単な説明】
【００３５】
【図１】図１は、本発明の基準義歯（上顎用）の側面図である。
【図２】図２は、本発明の基準義歯（上顎用）の、人工歯が配列されている方向から見た平面図である。
【図３】図３は、図２の反対側の平面図である。
【図４】図４は、本発明の基準義歯（下顎用）の側面図である。
【図５】図５は、本発明の基準義歯（下顎用）の、人工歯が配列されている方向から見た平面図である。
【図６】図６は、図５の反対側の平面図である。
【図７】図７は、分割機構の一例を示す説明図である。
【図８】図８は、上顎基準義歯床の形状を示す平面図である。
【図９】図９は、上顎基準義歯床に配列されている人工歯の位置を示す平面図である。
【図１０】図１０は、上顎用義歯の一例を示す平面図である。
【図１１】図１１は、下顎基準義歯床の形状を示す平面図である。
【図１２】図１２は、下顎基準義歯床に配列されている人工歯の位置を示す平面図である。
【図１３】図１３は、下顎用義歯の一例を示す平面図である。
【発明を実施するための形態】
【００３６】
以下、図面を参照しながら本発明を詳細に説明する。
【００３７】
図１は、本発明の基準義歯（上顎用）の側面図である。なお、本発明の基準義歯は実質的に左右対称であるため、反対側の側面図及びその説明を省略する。図１中、１００は本発明の上顎基準義歯であり、1０は本発明の上顎基準義歯床である。点Ｏは、唇側床縁の正中にあたる上唇小帯に相当する点であり、点Ｐは、床後縁の左側翼突上顎切痕に相当する点である。上顎基準義歯床１０には、中切歯１１、側切歯１２、犬歯１３、第一小臼歯１４、第二小臼歯１５、第一大臼歯１６、第二大臼歯１７が配列されている。上顎基準義歯床１０には、人工歯毎に分割できるように、分割機構が形成されている。Ｌ１は右側中切歯（不図示）と左側中切歯１１との歯間部で分割するための線であり、Ｌ２は中切歯１１と側切歯１２との歯間部で分割するための線であり、Ｌ３は側切歯１２と犬歯１３との歯間部で分割するための線であり、Ｌ４は犬歯１３と第一小臼歯１４との歯間部で分割するための線であり、Ｌ５は第一小臼歯１４と第二小臼歯１５との歯間部で分割するための線であり、Ｌ６は第二小臼歯１５と第一大臼歯１６との歯間部で分割するための線であり、Ｌ７は第一大臼歯１６と第二大臼歯１７との歯間部で分割するための線である。これらの線は、本図においては複数の凹部が連なった線により形成されている。
【００３８】
図２は、本発明の基準義歯（上顎用）の、人工歯が配列されている方向から見た平面図であり、図３は、図２の反対側の平面図である。図１と同じ構成には同じ符号を付してその説明を省略する。図２においては、１４本の人工歯が配列されており、基準義歯は線Ｌ１〜Ｌ７に沿って人工歯毎に１４個に分割可能に形成されている。例えば、犬歯１３の部分床義歯を作製する場合には、線Ｌ３及び線Ｌ４に沿って基準義歯を分割することにより、犬歯１３とそれに付随する基準義歯床とを抜き出すことができる。また、例えば、犬歯１３及び第一小臼歯１４の部分床義歯を作製する場合には、線Ｌ３及び線Ｌ５に沿って基準義歯を分割することにより、犬歯１３、第一小臼歯１４、及びそれに付随する基準義歯床を抜き出すことができる。なお、この場合、線Ｌ４は基準義歯に残存する。このように、線Ｌ１〜Ｌ７の任意の線に沿って分割することにより、部分床義歯の基礎形状を短時間で作製できる。
【００３９】
図４は、本発明の基準義歯（下顎用）の側面図である。なお、本発明の基準義歯は実質的に左右対称であるため、反対側の側面図及びその説明を省略する。図４中、２００は下顎基準義歯であり、２０は下顎基準義歯床である。点ｏは、唇側床縁の正中にあたる下唇小帯に相当する点である。点ｐは、床後縁の左側臼後隆起に相当する点である。下顎基準義歯床２０には、中切歯２１、側切歯２２、犬歯２３、第一小臼歯２４、第二小臼歯２５、第一大臼歯２６、第二大臼歯２７が配列されている。下顎基準義歯床２０には、人工歯毎に分割できるように、分割機構が形成されている。Ｊ１は右側中切歯（不図示）と左側中切歯２１との歯間部で分割するための線であり、Ｊ２は中切歯２１と側切歯２２との歯間部で分割するための線であり、Ｊ３は側切歯２２と犬歯２３との歯間部で分割するための線であり、Ｊ４は犬歯２３と第一小臼歯２４との歯間部で分割するための線であり、Ｊ５は第一小臼歯２４と第二小臼歯２５との歯間部で分割するための線であり、Ｊ６は第二小臼歯２５と第一大臼歯２６との歯間部で分割するための線であり、Ｊ７は第一大臼歯２６と第二大臼歯２７との歯間部で分割するための線である。これらの線は、本図においては複数の凹部が連なった線により形成されている。
【００４０】
図５は、本発明の基準義歯（下顎用）の、人工歯が配列されている方向から見た平面図であり、図６は、図５の反対側の平面図である。図４と同じ構成には同じ符号を付してその説明を省略する。図５においては、１４本の人工歯が配列されており、基準義歯は線Ｊ１〜Ｊ７に沿って人工歯毎に１４個に分割可能に形成されている。分割機構の構成は、上顎用の基準義歯と同様である。
【００４１】
図１〜６においては、分割機構として複数の凹部が連なった線を例示しているが、本発明における分割機構はこれに限定されない。図７は、分割機構の一例を示す説明図である。図７（ａ）は、複数の凹部が線状に連なった分割機構であり、凹部は厚み方向に貫通していない。図７（ｂ）は、厚み方向に貫通している複数の貫通孔が線状に連なった分割機構である。図７（ｃ）は、厚み方向に貫通したスリットにより形成された分割機構である。図７（ｄ）は、溝が線状に形成された分割機構である。本発明において、分割機構はこれらに限定されることなく、あらゆる分割機構を採用することができる。また、印刷等により線が形成されているだけでも良い。
基準義歯から部分床義歯を迅速に分割するためには、複数の凹部が線状に連なった分割機構や、複数の貫通孔がミシン目状に連なった破線である分割機構であることが好ましい。
このような分割機構は、基準義歯床の表側（即ち、人工歯が配列されている側）に形成しても良く、裏側（即ち、顎堤接触面側）に形成しても良く、両面に形成されていても良い。
【００４２】
複数の凹部が線状に連なった分割機構である場合や溝が線状に形成された分割機構である場合、該凹部や溝は基準義歯床の裏側のみに形成されていることが好ましい。前述のように、人工歯が複数配列されている部分床義歯には、使用されなかった分割機構が残存する。この分割機構が顎堤接触面側に形成されていることにより、部分床義歯の審美性を高くすることができる。また、残存した凹部等に裏装材が充填されることにより、部分床基準義歯と裏装材との接合性を高くすることができる。
【００４３】
複数の貫通孔がミシン目状に連なった分割機構である場合、該貫通孔の形状は特に限定されないが、開口部の長手方向の長さが、０．５〜２０ｍｍであることが好ましく、１〜１５ｍｍであることがより好ましく、３〜１０ｍｍであることが特に好ましい。０．５ｍｍ未満である場合、容易に分割できる構成とするためには多数の貫通孔を形成しなければならなくなり、基準義歯床の製造が煩雑となる。２０ｍｍを超える場合、基準義歯床の強度が低下し易くなり、意図しない部分で分割されてしまう場合がある。
【００４４】
前述のミシン目状に連なった破線は、顎堤接触面側において、その破線の全長に対して合計で０．１〜４０％の長さの切断部が形成されていることが好ましく、５〜３５％であることがより好ましく、１０〜３０％であることが特に好ましい。０．１％未満である場合、容易に分割できる構成とするためには多数の貫通孔を形成しなければならなくなり、基準義歯床の製造が煩雑となる。４０％を超える場合、基準義歯床の強度が低下し易くなり、意図しない部分で分割されてしまう場合がある。
【００４５】
図１において、分割機構は各人工歯を歯列毎に分割可能に形成したが、これに限らず、一部の人工歯のみを分割可能に形成しても良い。しかし、部分床義歯の対象となる歯列数及び歯列の組み合わせは、患者毎に相違するため、分割機構は各人工歯を歯列毎に分割可能に形成されていることが好ましい。
【００４６】
上記では、ベースとなる基準義歯が全部床基準義歯である場合について説明した。しかし、本発明においてベースとなる基準義歯は全部床基準義歯に限らず、一部分、例えば中切歯から犬歯までの部分床基準義歯であっても良い。
【００４７】
本発明の基準義歯床又は基準義歯は、基準義歯床の形状が以下に説明する所定の形状を有していることが好ましい。また、本発明の基準義歯床は、以下に説明する所定の位置に人工歯の配列位置を示すガイドが形成されていることが好ましい。
本発明の基準義歯は、人工歯が以下に説明する所定の位置に配列されていることが好ましい。
【００４８】
（上顎基準義歯床）
図８は、本発明の上顎基準義歯１００における基準義歯床１０の形状の一例を示す平面図である。図８中、点Ｏは、唇側床縁の正中にあたる上唇小帯に相当する点である。点Ｐは、床後縁の左側翼突上顎切痕に相当する点であり、点Ｑは、床後縁の右側翼突上顎切痕に相当する点である。点Ｍは、点Ｐと点Ｑとを結ぶ線分ＰＱの中点である。この基準義歯床は、線分ＰＱの長さを１としたとき、点Ｏと点Ｍとを結ぶ線分ＯＭの長さが、０．７６〜０．９８の範囲にあり、０．８１〜０．９３の範囲にあることが好ましく、０．８６〜０．８８の範囲にあることがより好ましい。この形状を有する上顎基準義歯床は、裏装材を築盛することによって、多くの無歯顎者に適合させることができる。この上顎基準義歯をベースとして作製する部分床義歯も、多くの患者に適合させることができる。なお、上顎基準義歯床の右左は、患者に装着した際における左右であり、紙面における左右と反転している。
【００４９】
図８中、点Ｐ１〜Ｐ３は、線分ＯＰを４等分する点である。即ち、線分ＯＰ１、線分Ｐ１Ｐ２、線分Ｐ２Ｐ３、線分Ｐ３Ｐの長さは等しい。点Ｄ１〜Ｄ３は、点Ｐ１〜Ｐ３の各点それぞれからの線分ＯＰに対する垂直線が左側頬側床縁５０と交わる点である。点Ｑ１〜Ｑ３は、線分ＯＱを４等分する点である。即ち、線分ＯＱ１、線分Ｑ１Ｑ２、線分Ｑ２Ｑ３、線分Ｑ３Ｑの長さは等しい。点Ｅ１〜Ｅ３は、点Ｑ１〜Ｑ３の各点それぞれからの線分ＯＱに対する垂直線が右側頬側床縁５１と交わる点である。
【００５０】
上顎基準義歯床の形状は、線分ＰＱの長さを１としたとき、線分Ｐ１Ｄ１及び線分Ｑ１Ｅ１の長さは、それぞれ０．１１〜０．３６の範囲であることが好ましく、０．１６〜０．３１の範囲であることがより好ましく、０．２１〜０．２６の範囲であることが特に好ましい。また、線分Ｐ２Ｄ２及び線分Ｑ２Ｅ２の長さは、それぞれ０．１９〜０．４５の範囲であることが好ましく、０．２４〜０．４０の範囲であることがより好ましく、０．２９〜０．３５の範囲であることが特に好ましい。さらに、線分Ｐ３Ｄ３及び線分Ｑ３Ｅ３の長さは、それぞれ０．１６〜０．４５の範囲であることが好ましく、０．２１〜０．４０の範囲であることがより好ましく、０．２６〜０．３５の範囲であることが特に好ましい。この形状を有する上顎基準義歯床又は上顎基準義歯をベースとして作製する部分床義歯は、多くの患者に適合させることができる。
【００５１】
図９は、本発明の上顎基準義歯に配列されている人工歯の位置を示す説明図である。図１０は、上顎基準義歯床に全ての人工歯が配列されてなる上顎基準義歯の一例を示す平面図である。図１０中、１１は上顎中切歯（１番）であり、１１ａは左側上顎中切歯と右側上顎中切歯との歯間部である。１２は上顎側切歯（２番）であり、１２ａは上顎側切歯の近心隅角切縁である。１３は上顎犬歯（３番）であり、１３ａは上顎犬歯の尖頭である。１４は上顎第一小臼歯（４番）であり、１４ａは上顎第一小臼歯における中心溝と中心咬合面隆線との交点である。１５は上顎第二小臼歯（５番）であり、１５ａは上顎第二小臼歯における中心溝と中心咬合面隆線との交点である。１６は上顎第一大臼歯（６番）であり、１６ａは上顎第一大臼歯の中心窩である。１７は上顎第二大臼歯（７番）であり、１７ａは上顎第二大臼歯の中心窩である。
【００５２】
（上顎基準義歯床における人工歯の配列位置）
（ａ）左側上顎第一大臼歯（左上６番）の配列位置
点Ｓ６は、線分ＰＱの長さを１とし、線分ＯＰ上にあり、点Ｏから０．７４の距離にある。点Ｔ６は、線分ＰＱの長さを１とし、線分ＯＱ上にあり、点Ｏから０．７４の距離にある。左側上顎第一大臼歯は、点Ｓ６から左側頬側床縁５０側への線分ＯＰに対する垂直線上であって点Ｓ６から左側頬側床縁５０側に０．１１の距離に中心点を有する半径０．１４の円内に、左側上顎第一大臼歯の中心窩が位置するように配列されることが好ましく、半径０．０８の円内であることが特に好ましい。
【００５３】
（ｂ）右側上顎第一大臼歯（右上６番）の配列位置
同様に、右側上顎第一大臼歯は、点Ｔ６から右側頬側床縁５１側への線分ＯＱに対する垂直線上であって点Ｔ６から右側頬側床縁５１側に０．１１の距離に中心点を有する半径０．１４の円内に、右側上顎第一大臼歯の中心窩が位置するように配列されることが好ましく、半径０．０８の円内であることが特に好ましい。
【００５４】
（ｃ）上顎中切歯（上１番）の配列位置
上顎中切歯は、直線ＯＭ上であって点Ｍから唇側に０．７６〜１．１４の距離に左側上顎中切歯と右側上顎中切歯との歯間部を有するように配列される。
左側上顎中切歯は、線分ＰＱの長さを１とし、直線ＯＭ上にあって点Ｍから唇側に０．７６〜１．１４の距離にある点Ｕ１に円周が接するとともに、点Ｕ１において直線ＯＭと直交する直線上であって左側頬側床縁５０側に中心点を有する直径０．１７の円内に、左側中切歯の中央の切縁結節が位置するように配列されることが好ましく、点Ｍから点Ｕ１が０．８６〜１．０４の距離であることがより好ましく、０．９１〜０．９９の距離であることが特に好ましい。
同様に、右側中切歯は、直線ＯＭ上にあって点Ｍから唇側に０．７６〜１．１４の距離にある点Ｕ１に円周が接するとともに、点Ｕ１において直線ＯＭと直交する直線上であって右側頬側床縁５１側に中心点を有する直径０．１７の円内に、右側中切歯の中央の切縁結節が位置するように配列されることが好ましく、点Ｍから点Ｕ１が０．８６〜１．０４の距離であることがより好ましく、０．９１〜０．９９の距離であることが特に好ましい。また、左側上顎中切歯と右側上顎中切歯とは、直線ＯＭに対して左右対称に配列されていることが好ましい。
【００５５】
（ｄ）左側上顎犬歯（左上３番）の配列位置
点Ｓ３は、線分ＰＱの長さを１とし、線分ＯＰ上にあり、点Ｏから０．３０の距離にある。点Ｔ３は、線分ＰＱの長さを１とし、線分ＯＱ上にあり、点Ｏから０．３０の距離にある。左側上顎犬歯は、点Ｓ３から左側頬側床縁５０側への線分ＯＰに対する垂直線上であって点Ｓ３から左側頬側床縁５０側に０．２５の距離に中心点を有する半径０．１２の円内に、左側上顎犬歯の尖頭が位置するように配列されることが好ましく、半径０．０７の円内であることが特に好ましい。
【００５６】
（ｅ）右側上顎犬歯（右上３番）の配列位置
同様に、右側上顎犬歯は、点Ｔ３から右側頬側床縁５１側への線分ＯＱに対する垂直線上であって点Ｔ３から右側頬側床縁５１側に０．２５の距離に中心点を有する半径０．１２の円内に、右側上顎犬歯の尖頭が位置するように配列されることが好ましく、半径０．０７の円内であることが特に好ましい。
【００５７】
（ｆ）左側上顎第一小臼歯（左上４番）の配列位置
点Ｓ４は、線分ＰＱの長さを１とし、線分ＯＰ上にあり、点Ｏから０．４４の距離にある。点Ｔ４は、線分ＰＱの長さを１とし、線分ＯＱ上にあり、点Ｏから０．４４の距離にある。左側上顎第一小臼歯は、点Ｓ４から左側頬側床縁５０側への線分ＯＰに対する垂直線上であって点Ｓ４から左側頬側床縁５０側に０．２４の距離に中心点を有する半径０．１３の円内に、その中心溝と中心咬合面隆線との交点が位置するように配列されることが好ましく、半径０．０８の円内であることが特に好ましい。
【００５８】
（ｇ）右側上顎第一小臼歯（右上４番）の配列位置
同様に、右側上顎第一小臼歯は、点Ｔ４から右側頬側床縁５１側への線分ＯＱに対する垂直線上であって点Ｔ４から右側頬側床縁５１側に０．２４の距離に中心点を有する半径０．１３の円内に、その中心溝と中心咬合面隆線との交点が位置するように配列されることが好ましく、半径０．０８の円内であることが特に好ましい。
【００５９】
（ｈ）左側上顎第二小臼歯（左上５番）の配列位置
点Ｓ５は、線分ＰＱの長さを１とし、線分ＯＰ上にあり、点Ｏから０．５８の距離にある。点Ｔ５は、線分ＰＱの長さを１とし、線分ＯＱ上にあり、点Ｏから０．５８の距離にある。左側上顎第二小臼歯は、点Ｓ５から左側頬側床縁５０側への線分ＯＰに対する垂直線上であって点Ｓ５から左側頬側床縁５０側に０．１９の距離に中心点を有する半径０．１３の円内に、その中心溝と中心咬合面隆線との交点が位置するように配列されることが好ましく、半径０．０８の円内であることが特に好ましい。
【００６０】
（ｉ）右側上顎第二小臼歯（右上５番）の配列位置
同様に、右側上顎第二小臼歯は、点Ｔ５から右側頬側床縁５１側への線分ＯＱに対する垂直線上であって点Ｔ５から右側頬側床縁５１側に０．１９の距離に中心点を有する半径０．１３の円内に、その中心溝と中心咬合面隆線との交点が位置するように配列されることが好ましく、半径０．０８の円内であることが特に好ましい。
【００６１】
（ｊ）左側上顎第二大臼歯（左上７番）の配列位置
点Ｓ７は、線分ＰＱの長さを１とし、線分ＯＰ上にあり、点Ｏから０．９０の距離にある。点Ｔ７は、線分ＰＱの長さを１とし、線分ＯＱ上にあり、点Ｏから０．９０の距離にある。左側上顎第二大臼歯は、点Ｓ７から左側頬側床縁５０側への線分ＯＰに対する垂直線上であって点Ｓ７から左側頬側床縁５０側に０．０８の距離に中心点を有する半径０．１２の円内に、その中心窩が位置するように配列されることが好ましく、半径０．０８の円内であることが特に好ましい。
【００６２】
（ｋ）右側上顎第二大臼歯（右上７番）の配列位置
同様に、右側上顎第二大臼歯は、点Ｔ７から右側頬側床縁５１側への線分ＯＱに対する垂直線上であって点Ｔ７から右側頬側床縁５１側に０．０８の距離に中心点を有する半径０．１２の円内に、その中心窩が位置するように配列されることが好ましく、半径０．０８の円内であることが特に好ましい。
【００６３】
（ｌ）左側上顎側切歯（左上２番）の配列位置
点Ｓ２は、線分ＰＱの長さを１とし、線分ＯＰ上にあり、点Ｏから０．１２の距離にある。点Ｔ２は、線分ＰＱの長さを１とし、線分ＯＱ上にあり、点Ｏから０．１２の距離にある。左側上顎側切歯は、点Ｓ２から左側頬側床縁５０側への線分ＯＰに対する垂直線上であって点Ｓ２から左側頬側床縁５０側に０．１４の距離に中心点を有する半径０．１１の円内に、その近心隅角切縁が位置するように配列されることが好ましく、半径０．０８の円内であることが特に好ましい。
【００６４】
（ｍ）右側上顎側切歯（右上２番）の配列位置
同様に、右側上顎側切歯は、点Ｔ２から右側頬側床縁５１側への線分ＯＱに対する垂直線上であって点Ｔ２から右側頬側床縁５１側に０．１４の距離に中心点を有する半径０．１１の円内に、その近心隅角切縁が位置するように配列されることが好ましく、半径０．０８の円内であることが特に好ましい。
【００６５】
（下顎基準義歯床）
図１１は、本発明の下顎基準義歯２００における基準義歯床２０の形状の一例を示す平面図である。図１１中、点ｏは、唇側床縁の正中にあたる下唇小帯に相当する点である。点ｐは、床後縁の左側臼後隆起に相当する点であり、点ｑは、床後縁の右側臼後隆起に相当する点である。点ｍは、点ｐと点ｑとを結ぶ線分ｐｑの中点である。この下顎基準義歯床は、線分ｐｑの長さを１としたとき、点ｏと点ｍとを結ぶ線分ｏｍの長さが、０．７６〜０．９４の範囲にあり、０．８０〜０．９０の範囲にあることが好ましく、０．８４〜０．８６の範囲にあることがより好ましい。
【００６６】
図１１中、点ｐ１〜ｐ３は、線分ｏｐを４等分する点である。即ち、線分ｏｐ１、線分ｐ１ｐ２、線分ｐ２ｐ３、線分ｐ３ｐの長さは等しい。点ｄ１〜ｄ３は、点ｐ１〜ｐ３の各点それぞれからの線分ｏｐに対する垂直線が左側頬側床縁５２と交わる点である。点ｑ１〜ｑ３は、線分ｏｑを４等分する点である。即ち、線分ｏｑ１、線分ｑ１ｑ２、線分ｑ２ｑ３、線分ｑ３ｑの長さは等しい。点ｅ１〜ｅ３は、点ｑ１〜ｑ３の各点それぞれからの線分ｏｑに対する垂直線が右側頬側床縁５３と交わる点である。
【００６７】
下顎基準義歯床は、線分ｐｑの長さを１としたとき、線分ｐ１ｄ１及び線分ｑ１ｅ１の長さは、それぞれ０．１１〜０．３２の範囲であることが好ましく、０．１５〜０．２８の範囲であることがより好ましく、０．１９〜０．２４の範囲であることが特に好ましい。また、線分ｐ２ｄ２及び線分ｑ２ｅ２の長さは、それぞれ０．１３〜０．３４の範囲であることが好ましく、０．１７〜０．３０の範囲であることがより好ましく、０．２１〜０．２６の範囲であることが特に好ましい。さらに、線分ｐ３ｄ３及び線分ｑ３ｅ３の長さは、それぞれ０．１４〜０．３３の範囲であることが好ましく、０．１８〜０．２９の範囲であることがより好ましく、０．２２〜０．２５の範囲であることが特に好ましい。この形状を有する下顎基準義歯床又は下顎基準義歯をベースとして作製する部分床義歯は、多くの患者に適合させることができる。
【００６８】
図１１中、点ｂ１〜ｂ３は、点ｐ１〜ｐ３の各点それぞれからの線分ｏｐに対する垂直線が舌側床縁と交わる点である。点ｃ１〜ｃ３は、点ｑ１〜ｑ３の各点それぞれからの線分ｏｑに対する垂直線が舌側床縁と交わる点である。
【００６９】
下顎基準義歯床は、線分ｐｑの長さを１としたとき、線分ｄ１ｂ１及び線分ｅ１ｃ１の長さは、それぞれ０．１４〜０．４０の範囲であることが好ましく、０．１９〜０．３５の範囲であることがより好ましく、０．２４〜０．３０の範囲であることが特に好ましい。また、線分ｄ２ｂ２及び線分ｅ２ｃ２の長さは、それぞれ０．１９〜０．４１の範囲であることが好ましく、０．２４〜０．３６の範囲であることがより好ましく、０．２９〜０．３１の範囲であることが特に好ましい。さらに、線分ｄ３ｂ３及び線分ｅ３ｃ３の長さは、それぞれ０．２１〜０．４２の範囲であることが好ましく、０．２５〜０．３８の範囲であることがより好ましく、０．３０〜０．３４の範囲であることが特に好ましい。この形状を有する下顎基準義歯をベースとして作製する部分床義歯は、多くの患者に適合させることができる。
【００７０】
図１２は、本発明の下顎基準義歯に配列される人工歯の位置を示す説明図である。図１３は、全ての人工歯が配列されてなる下顎基準義歯の一例を示す平面図である。図１３中、２１は下顎中切歯（１番）であり、２１ａは左側下顎中切歯と右側下顎中切歯との歯間部である。２２は下顎側切歯（２番）であり、２２ａは下顎側切歯の近心隅角切縁である。２３は下顎犬歯（３番）であり、２３ａは下顎犬歯の尖頭である。２４は下顎第一小臼歯（４番）であり、２４ａは下顎第一小臼歯における中心溝と中心咬合面隆線との交点である。２５は下顎第二小臼歯（５番）であり、２５ａは下顎第二小臼歯における中心溝と中心咬合面隆線との交点である。２６は下顎第一大臼歯（６番）であり、２６ａは下顎第一大臼歯の中心窩である。２７は下顎第二大臼歯（７番）であり、２７ａは下顎第二大臼歯の中心窩である。
【００７１】
（下顎基準義歯床における人工歯の配列位置）
（ｎ）左側下顎第一大臼歯（左下６番）の配列位置
点ｓ６は、線分ｐｑの長さを１とし、線分ｏｐ上にあり、点ｏから０．６５の距離にある。点ｔ６は、線分ｐｑの長さを１とし、線分ｏｑ上にあり、点ｏから０．６５の距離にある。左側下顎第一大臼歯（左下６番）は、点ｓ６から左側頬側床縁５２側への線分ｏｐに対する垂直線上であって点ｓ６から左側頬側床縁５２側に０．０８の距離に中心点を有する半径０．１２の円内に、左側第一大臼歯の中心窩が位置するように配列されることが好ましく、半径０．０８の円内であることが特に好ましい。
【００７２】
（ｏ）右側下顎第一大臼歯（右下６番）の配列位置
同様に、右側下顎第一大臼歯は、点ｔ６から右側頬側床縁５３側への線分ｏｑに対する垂直線上であって点ｔ６から右側頬側床縁５３側に０．０８の距離に中心点を有する半径０．１２の円内に、右側下顎第一大臼歯の中心窩が位置するように配列されていることが好ましく、半径０．０８の円内であることが特に好ましい。
【００７３】
（ｐ）下顎中切歯（下１番）の配列位置
下顎中切歯は、直線ｏｍ上であって点ｍから唇側に０．７４〜０．９４の距離に左側下顎中切歯と右側下顎中切歯との歯間部を有するように配列される。
左側下顎中切歯は、線分ｐｑの長さを１とし、直線ｏｍ上にあって点ｍから唇側に０．７４〜０．９４の距離にある点ｕ１に円周が接するとともに、点ｕ１において直線ｏｍと直交する直線上であって左側頬側床縁５２側に中心点を有する直径０．１２の円内に左側中切歯の中央の切縁結節が位置するように配列されていることが好ましく、点ｍから点ｕ１が０．７９〜０．８９の距離であることがより好ましく、０．８３〜０．８５の距離であることが特に好ましい。
同様に、右側下顎中切歯は、線分ｐｑの長さを１とし、直線ｏｍ上にあって点ｍから唇側に０．７４〜０．９４の距離にある点ｕ１に円周が接するとともに、点ｕ１において直線ｏｍと直交する直線上であって右側頬側床縁５３側に中心点を有する直径０．１２の円内に右側中切歯の中央の切縁結節が位置するように配列されていることが好ましく、点ｍから点ｕ１が０．７９〜０．８９の距離であることがより好ましく、０．８３〜０．８５の距離であることが特に好ましい。
また、左側下顎中切歯と右側下顎中切歯とは、直線ｏｍに対して左右対称に配列されていることが好ましい。
【００７４】
（ｑ）左側下顎犬歯（左下３番）の配列位置
点ｓ３は、線分ｐｑの長さを１とし、線分ｏｐ上にあり、点ｏから０．２３の距離にある。点ｔ３は、線分ｐｑの長さを１とし、線分ｏｑ上にあり、点ｏから０．２３の距離にある。左側下顎犬歯は、点ｓ３から左側頬側床縁５２側への線分ｏｐに対する垂直線上であって点ｓ３から左側頬側床縁５２側に０．１７の距離に中心点を有する半径０．１１の円内に、左側下顎犬歯の尖頭が位置するように配列されていることが好ましく、半径０．０８の円内であることが特に好ましい。
【００７５】
（ｒ）右側下顎犬歯（右下３番）の配列位置
同様に、右側下顎犬歯は、点ｔ３から右側頬側床縁５３側への線分ｏｑに対する垂直線上であって点ｔ３から右側頬側床縁５３側に０．１７の距離に中心点を有する半径０．１１の円内に、右側下顎犬歯の尖頭が位置するように配列されていることが好ましく、半径０．０８の円内であることが特に好ましい。
【００７６】
（ｓ）左側下顎第一小臼歯（左下４番）の配列位置
点ｓ４は、線分ｐｑの長さを１とし、線分ｏｐ上にあり、点ｏから０．３８の距離にある。点ｔ４は、線分ｐｑの長さを１とし、線分ｏｑ上にあり、点ｏから０．３８の距離にある。左側下顎第一小臼歯は、点ｓ４から左側頬側床縁５２側への線分ｏｐに対する垂直線上であって点ｓ４から左側頬側床縁５２側に０．１５の距離に中心点を有する半径０．１２の円内に、その中心溝と中心咬合面隆線との交点が位置するように配列されることが好ましく、半径０．０８の円内であることが特に好ましい。
【００７７】
（ｔ）右側下顎第一小臼歯（右下４番）の配列位置
同様に、右側下顎第一小臼歯は、点ｔ４から右側頬側床縁５３側への線分ｏｑに対する垂直線上であって点ｔ４から右側頬側床縁５３側に０．１５の距離に中心点を有する半径０．１３の円内に、その中心溝と中心咬合面隆線との交点が位置するように配列されることが好ましく、半径０．０８の円内であることが特に好ましい。
【００７８】
（ｕ）左側下顎第二小臼歯（左下５番）の配列位置
点ｓ５は、線分ｐｑの長さを１とし、線分ｏｐ上にあり、点ｏから０．５０の距離にある。点ｔ５は、線分ｐｑの長さを１とし、線分ｏｑ上にあり、点ｏから０．５０の距離にある。左側下顎第二小臼歯は、点ｓ５から左側頬側床縁５２側への線分ｏｐに対する垂直線上であって点ｓ５から左側頬側床縁５２側に０．１４の距離に中心点を有する半径０．１２の円内に、その中心溝と中心咬合面隆線との交点が位置するように配列されることが好ましく、半径０．０８の円内であることが特に好ましい。
【００７９】
（ｖ）右側下顎第二小臼歯（右下５番）の配列位置
同様に、右側下顎第二小臼歯は、点ｔ５から右側頬側床縁５１側への線分ｏｑに対する垂直線上であって点ｔ５から右側頬側床縁５３側に０．１４の距離に中心点を有する半径０．１２の円内に、その中心溝と中心咬合面隆線との交点が位置するように配列されることが好ましく、半径０．０８の円内であることが特に好ましい。
【００８０】
（ｗ）左側下顎第二大臼歯（左下７番）の配列位置
点ｓ７は、線分ｐｑの長さを１とし、線分ｏｐ上にあり、点ｏから０．８２の距離にある。点ｔ７は、線分ｐｑの長さを１とし、線分ｏｑ上にあり、点ｏから０．８２の距離にある。左側下顎第二大臼歯は、点ｓ７から左側頬側床縁５０側への線分ｏｐに対する垂直線上であって点ｓ７から左側頬側床縁５０側に０．０８の距離に中心点を有する半径０．１２の円内に、その中心窩が位置するように配列されることが好ましく、半径０．０８の円内であることが特に好ましい。
【００８１】
（ｘ）右側下顎第二大臼歯（右下７番）の配列位置
同様に、右側下顎第二大臼歯は、点ｔ７から右側頬側床縁５１側への線分ｏｑに対する垂直線上であって点ｔ７から右側頬側床縁５１側に０．０８の距離に中心点を有する半径０．１２の円内に、その中心窩が位置するように配列されることが好ましく、半径０．０８の円内であることが特に好ましい。
【００８２】
（ｙ）左側下顎側切歯（左下２番）の配列位置
点ｓ２は、線分ｐｑの長さを１とし、線分ｏｐ上にあり、点ｏから０．０８の距離にある。点ｔ２は、線分ｐｑの長さを１とし、線分ｏｑ上にあり、点ｏから０．０８の距離にある。左側下顎側切歯は、点ｓ２から左側頬側床縁５０側への線分ｏｐに対する垂直線上であって点ｓ２から左側頬側床縁５０側に０．１０の距離に中心点を有する半径０．１０の円内に、その近心隅角切縁が位置するように配列されることが好ましく、半径０．０８の円内であることが特に好ましい。
【００８３】
（ｚ）右側下顎側切歯（右下２番）の配列位置
同様に、右側下顎側切歯は、点ｔ２から右側頬側床縁５１側への線分ｏｑに対する垂直線上であって点ｔ２から右側頬側床縁５１側に０．１０の距離に中心点を有する半径０．１０の円内に、その近心隅角切縁が位置するように配列されることが好ましく、半径０．０８の円内であることが特に好ましい。
【００８４】
人工歯の配列位置を示すガイドとしては、基準義歯床に人工歯を配列するための貫通孔を形成する方法、人工歯の形状に対応する凹部を設ける方法、傷や溝等の凹欠部を設ける方法、印刷や転写等により目印を印字する方法、目印となる部材を接着する方法が例示される。
【００８５】
基準義歯床の材料は公知のものがなんら制限なく使用できる。具体的に例示すれば、メチル（メタ）アクリレート、エチル（メタ）アクリレート、イソプロピル（メタ）アクリレート、ｎ−プロピル（メタ）アクリレート、ブチル（メタ）アクリレートの単独重合体若しくはこれらの共重合体から少なくとも一つ選ばれるポリ（メタ）アクリレート系樹脂、並びにポリオレフィン系樹脂（例えば、ポリプロピレン）、ポリアミド系樹脂（例えば、ナイロン６６（登録商標））、ポリエステル系樹脂（例えば、ポリカーボネート）、ポリエーテル系樹脂（例えば、ポリアセタール、ポリサルフォン）、ポリニトリル系樹脂（例えば、ポリアクリロニトリル）、ポリビニル系樹脂（例えば、ポリ酢酸ビニル）、セルロース系樹脂（例えば、酢酸セルロース）、フッ素系樹脂（例えば、ポリクロルフルオロエチレン）、イミド系樹脂（例えば、芳香族ポリイミド）等が挙げられる。
【００８６】
基準義歯床には、義歯床の強度を向上させるためにフィラーを含有させることもできる。該フィラーは、有機フィラーであっても無機フィラーであっても良い。また、無機フィラーに重合性単量体を予め添加し、ペースト状にした後、重合させ、粉砕して得られる粒状の有機−無機複合フィラーを用いても良い。
【００８７】
基準義歯床は、その一部が金属で形成されていても良い。
【００８８】
基準義歯床は、公知の成形方法によって製造できる。例えば、射出成形や圧縮成形等が挙げられる。分割機構は、基準義歯床の成形時に同時に形成されても良いし、後から形成しても良い。
【００８９】
人工歯としては、樹脂製やセラミック製の公知の人工歯を用いることができる。樹脂製の人工歯としては、上述のポリ（メタ）アクリレート系樹脂、並びにポリオレフィン系樹脂、ポリアミド系樹脂、ポリエステル系樹脂、ポリエーテル系樹脂、ポリニトリル系樹脂、ポリビニル系樹脂、セルロース系樹脂、フッ素系樹脂、イミド系樹脂、シリコン系樹脂等を材質とする人工歯が例示される。人工歯の固定方法としては、嵌合、接着等従来公知の方法が何ら制限なく使用できる。
【００９０】
（部分床義歯作製キット）
本発明の部分床義歯作製キットは、前述の基準義歯床と、人工歯と、裏装材と、から成る。或いは、前述の基準義歯と、裏装材と、から成る。
【００９１】
裏装材としては、公知ものが何ら制限なく使用できる。例えば、基準義歯床の材料として説明した上述のポリ（メタ）アクリレート系樹脂、並びにポリオレフィン系樹脂、ポリアミド系樹脂、ポリエステル系樹脂、ポリエーテル系樹脂、ポリニトリル系樹脂、ポリビニル系樹脂、セルロース系樹脂、フッ素系樹脂、イミド系樹脂、シリコン樹脂等が挙げられる。
【００９２】
人工歯としては、樹脂製やセラミック製の公知の人工歯を用いることができる。樹脂製の人工歯としては、基準義歯床の材料として上述したポリ（メタ）アクリレート系樹脂、並びにポリオレフィン系樹脂、ポリアミド系樹脂、ポリエステル系樹脂、ポリエーテル系樹脂、ポリニトリル系樹脂、ポリビニル系樹脂、セルロース系樹脂、フッ素系樹脂、イミド系樹脂、シリコン系樹脂等を材質とする人工歯が例示される。人工歯の固定方法としては、嵌合、接着等従来公知の方法が何ら制限なく使用できる。
【００９３】
本発明の部分床義歯作製キットは、それぞれサイズが異なる複数の上顎基準義歯床又は上顎基準義歯、及び下顎基準義歯床又は下顎基準義歯を予め用意しておくことが好ましい。これにより、より患者への適合率を高めることができる。
【００９４】
（部分床義歯の作製方法）
本発明において、部分床義歯は、上記部分床義歯作製キットを用いて作製することができる。
基準義歯床と、人工歯と、裏装材と、から成る部分床義歯作製キットを用いる部分床義歯の作製方法としては、先ず、本発明の基準義歯床から、部分床義歯として作製する人工歯が配列される部分の基準義歯床を分割して、部分床義歯の基礎形状体を得、次いで、この基礎形状体に人工歯を配列するとともに裏装材を築盛する。これにより、適合率が高い部分床義歯を作製することができる。
基準義歯と、裏装材と、から成る部分床義歯作製キットを用いる部分床義歯の作製方法としては、先ず、本発明の基準義歯から、部分床義歯として作製する人工歯及びそれに付随する基準義歯床を分割して、部分床義歯の基礎形状体を得、次いで、この基礎形状体に裏装材を築盛する。これにより、適合率が高い部分床義歯を作製することができる。
【００９５】
分割の方法としては、リューターやプライヤー、カッター等の工具を用いて分割しても良いし、人力で割ることにより分割しても良い。
【００９６】
本発明の部分床義歯の作製方法は、分割機構を有していない基準義歯床を用いることもできる。即ち、分割機構を有していない基準義歯から、人工歯及びそれに付随する義歯床を切断して、部分床義歯の基礎形状体を得、次いで、この基礎形状体に裏装材を築盛することにより、部分床義歯を作製することができる。この方法によると、基準義歯から、人工歯及びそれに付随する義歯床を切断するのに要する時間が長くなる。しかし、２歯以上の部分床義歯を作製する場合においては、義歯の相対的位置関係が定められている基準義歯を用いることにより、人工歯の位置決めに要する時間を短縮できる点で有効である。
【実施例】
【００９７】
（実施例１）
上顎右側６番の１歯欠損の部分床義歯を作製するために、切り取り用の印を付与した上顎無口蓋の基準義歯を準備し、分割、形態修正、ワイヤー屈曲、裏装、研磨の５段階の工程を経て作製した。それぞれの工程に要した時間は、分割工程：４分、形態修正工程：１分、ワイヤー屈曲：１０分、裏装工程：１０分、研磨工程：１０分となり総作製時間は３５分となった。
なお、分割工程には直径２２ｍｍ、厚さ０．２ｍｍのダイヤモンドコートディスクを３０００ｒｐｍの回転数で使用した。
【００９８】
（実施例２〜４）
実施例２は切り取り用の溝が刻されている態様であるが、分割工程時間：２分以外は実施例１と同じ時間となり、総作製時間は３３分であった。
実施例３は切り取り用の貫通孔（連結部が貫通孔の面積に対し２０％）が付与されている態様であるが、分割工程時間：５秒以外は実施例１と同じ時間となり、総作製時間は３１分であった。なお、分割工程は素手を用いて実施した。
実施例４は上顎有口蓋の基準義歯に切り取り用の貫通孔（連結部が貫通孔の面積に対し２０％）が付与されている態様であるが、分割工程時間：１０秒、形態修正時間：１１０秒は実施例１と同じ時間となり、総作製時間は３２分であった。なお、分割工程は素手を用いて実施した。
【００９９】
（比較例１）
オーダーメイドで上顎右側６番の１歯欠損の部分床義歯を次に記す工程で、合計１４７分の時間を要し作製した。各工程に要した時間は、人工歯配列工程：２分、ワイヤー屈曲工程：１０分、埋没工程：３０分、脱ロウ工程：１０分、填入工程：２０分、重合工程：６０分、割り出し工程：５分、研磨工程：１０分であった。
【０１００】
【表１】
2018196535.tif 000003
【０１０１】
（実施例５）
下顎右側６番の１歯欠損の部分床義歯を作製するために、切り取り用の印を付与した下顎基準義歯を準備し、分割、形態修正、ワイヤー屈曲、裏装、研磨の５段階の工程を経て作製した。それぞれの工程に要した時間は、分割工程：４分、形態修正工程：１分、ワイヤー屈曲：１０分、裏装工程：１０分、研磨工程：１０分となり総作製時間は３５分となった。
なお、分割工程には直径２２ｍｍ、厚さ０．２ｍｍのダイヤモンドコートディスクを３０００ｒｐｍの回転数で使用した。
【０１０２】
（実施例６〜７）
実施例６は切り取り用の溝が刻されている態様であるが、分割工程時間：２分以外は実施例５と同じ時間となり、総作製時間は３３分であった。
実施例７は切り取り用の貫通孔（連結部が貫通孔の面積に対し２０％）が付与されている態様であるが、分割工程時間：５秒以外は実施例５と同じ時間となり、総作製時間は３１分であった。なお、分割工程は素手を用いて実施した。
【０１０３】
（比較例２）
オーダーメイドで下顎右側６番の１歯欠損の部分床義歯を次に記す工程で、合計１４７分の時間を要し作製した。各工程に要した時間は、人工歯配列工程：２分、ワイヤー屈曲工程：１０分、埋没工程：３０分、脱ロウ工程：１０分、填入工程：２０分、重合工程：６０分、割り出し工程：５分、研磨工程：１０分であった。
【０１０４】
【表２】
2018196535.tif 000004
【０１０５】
（実施例８）
上顎右側５、６、７番の３歯欠損の部分床義歯を作製するために、切り取り用の貫通孔（連結部が貫通孔の面積に対し２０％）を付与した上顎無口蓋の基準義歯を準備し、分割、形態修正、ワイヤー屈曲、裏装、研磨の５段階の工程を経て作製した。それぞれの工程に要した時間は、分割工程：５秒、形態修正工程：１２０秒、ワイヤー屈曲：１０分、裏装工程：１０分、研磨工程：１０分となり総作製時間は３２分となった。
なお、分割工程は素手を用いて実施した。
【０１０６】
（比較例３）
オーダーメイドで上顎右側５、６、７番の３歯欠損の部分床義歯を次に記す工程で、合計１５１分の時間を要し作製した。各工程に要した時間は、人工歯配列工程：６分、ワイヤー屈曲工程：１０分、埋没工程：３０分、脱ロウ工程：１０分、填入工程：２０分、重合工程：６０分、割り出し工程：５分、研磨工程：１０分であった。
【０１０７】
【表３】
2018196535.tif 000005
【０１０８】
（実施例９）
下顎右側５、６、７番の３歯欠損の部分床義歯を作製するために、切り取り用の貫通孔（連結部が貫通孔の面積に対し２０％）を付与した下顎基準義歯を準備し、分割、形態修正、ワイヤー屈曲、裏装、研磨の５段階の工程を経て作製した。それぞれの工程に要した時間は、分割工程：５秒、形態修正工程：１２０秒、ワイヤー屈曲：１０分、裏装工程：１０分、研磨工程：１０分となり総作製時間は３２分となった。
なお、分割工程は素手を用いて実施した。
【０１０９】
（比較例４）
オーダーメイドで下顎右側５、６、７番の３歯欠損の部分床義歯を次に記す工程で、合計１５１分の時間を要し作製した。各工程に要した時間は、人工歯配列工程：６分、ワイヤー屈曲工程：１０分、埋没工程：３０分、脱ロウ工程：１０分、填入工程：２０分、重合工程：６０分、割り出し工程：５分、研磨工程：１０分であった。
【０１１０】
【表４】
2018196535.tif 000006
【０１１１】
（実施例１０）
上顎前歯右側３、２、１−左側１、２、３番の６歯欠損の部分床義歯を作製するために、切り取り用の貫通孔（連結部が貫通孔の面積に対し２０％）を付与した上顎無口蓋の基準義歯を準備し、分割、形態修正、ワイヤー屈曲、裏装、研磨の５段階の工程を経て作製した。それぞれの工程に要した時間は、分割工程：５秒、形態修正工程：１８０秒、ワイヤー屈曲：１０分、裏装工程：１０分、研磨工程：１０分となり総作製時間は３３分となった。
なお、分割工程は素手を用いて実施した。
【０１１２】
（比較例５）
オーダーメイドで上顎前歯右側３、２、１−左側１、２、３番の６歯欠損の部分床義歯を次に記す工程で、合計１５７分の時間を要し作製した。各工程に要した時間は、人工歯配列工程：１２分、ワイヤー屈曲工程：１０分、埋没工程：３０分、脱ロウ工程：１０分、填入工程：２０分、重合工程：６０分、割り出し工程：５分、研磨工程：１０分であった。
【０１１３】
【表５】
2018196535.tif 000007
【０１１４】
（実施例１１）
下顎前歯右側３、２、１−左側１、２、３番の６歯欠損の部分床義歯を作製するために、切り取り用の貫通孔（連結部が貫通孔の面積に対し２０％）を付与した下顎基準義歯を準備し、分割、形態修正、ワイヤー屈曲、裏装、研磨の５段階の工程を経て作製した。それぞれの工程に要した時間は、分割工程：５秒、形態修正工程：１８０秒、ワイヤー屈曲：１０分、裏装工程：１０分、研磨工程：１０分となり総作製時間は３３分となった。
なお、分割工程は素手を用いて実施した。
【０１１５】
（比較例６）
オーダーメイドで下顎前歯右側３、２、１−左側１、２、３番の６歯欠損の部分床義歯を次に記す工程で、合計１５７分の時間を要し作製した。各工程に要した時間は、人工歯配列工程：１２分、ワイヤー屈曲工程：１０分、埋没工程：３０分、脱ロウ工程：１０分、填入工程：２０分、重合工程：６０分、割り出し工程：５分、研磨工程：１０分であった。
【０１１６】
【表６】
2018196535.tif 000008
【符号の説明】
【０１１７】
１０・・・上顎基準義歯床
１１・・・上顎中切歯
１１ａ・・・左側上顎中切歯と右側上顎中切歯との歯間部
１２・・・上顎側切歯
１３・・・上顎犬歯
１４・・・上顎第一小臼歯
１５・・・上顎第二小臼歯
１６・・・上顎第一大臼歯
１６ａ・・・上顎第一大臼歯の中心窩
１７・・・上顎第二大臼歯
２０・・・下顎基準義歯床
２１・・・下顎中切歯
２１ａ・・・左側下顎中切歯と右側下顎中切歯との歯間部
２２・・・下顎側切歯
２３・・・下顎犬歯
２４・・・下顎第一小臼歯
２５・・・下顎第二小臼歯
２６・・・下顎第一大臼歯
２６ａ・・・下顎第一大臼歯の中心窩
２７・・・下顎第二大臼歯
３１、３３、３５・・・ガイド
５０、５２・・・左側頬側床縁
５１、５３・・・右側頬側床縁
１００・・・上顎基準義歯
１０１・・・人工歯
２００・・・下顎基準義歯
Ｌ１〜Ｌ７、Ｊ１〜Ｊ７・・・分割線
【図１】
2018196535.tif 000009
【図２】
2018196535.tif 000010
【図３】
2018196535.tif 000011
【図４】
2018196535.tif 000012
【図５】
2018196535.tif 000013
【図６】
2018196535.tif 000014
【図７】
2018196535.tif 000015
【図８】
2018196535.tif 000016
【図９】
2018196535.tif 000017
【図１０】
2018196535.tif 000018
【図１１】
2018196535.tif 000019
【図１２】
2018196535.tif 000020
【図１３】
2018196535.tif 000021